(57)【要約】【課題】遊技機の前面部の限られた領域に、押下可能なリジェクトボタンとメダル投入口とを配置できる遊技機を提供する。【解決手段】メダル通路１０６でのメダル詰まりを解消する際に、第１回動部材１１１の一端部１１１ｂがリジェクトボタン５５によって押下されるが、このリジェクトボタン５５の押下動作は、第１回動部材１１１の他端部１１１ｃによって第２回動部材１１２に伝達され、この第２回動部材１１２によってカバー部材１０４が押圧されるので、メダル通路１０６のメダル入口１０６ａをメダル投入口４２の直下から横方向にずらして配置した場合でも、遊技機の前面部に押下可能なリジェクトボタン５５をメダル投入口４２に近付けて配置できる。したがって、遊技機の前面部の限られた領域に、リジェクトボタン５５とメダル投入口４２とを配置できる。【選択図】図２
2016195634.tif 000002
【特許請求の範囲】
【請求項１】
メダル投入口の下方のメダル通路内で発生したメダル詰まりを解消するリジェクト機構を備えた遊技機において、
前記リジェクト機構は、前記メダル通路の少なくとも一方の側面を構成し、かつ前記メダル通路から側方側に離れることによって、前記メダル通路の側方を開放する側板と、
遊技機の前面部に押下可能に設けられたリジェクトボタンと、
遊技機の前面とほぼ平行な面内において第１軸回りに回動可能に設けられた第１回動部材と、
前記前面と直交する面内において前記第１軸と直交する第２軸回りに回動可能に設けられた第２回動部材とを備え、
前記リジェクトボタンによって前記第１回動部材の一端部が押下されて、当該第１回動部材が回動することによって、当該第１回動部材の他端部から前記第２回動部材の一端部に力が伝達されて、当該第２回動部材が回動し、この第２回動部材の他端部によって前記側板を前記メダル通路から側方側に離れる方向に押圧することを特徴とする遊技機。
【請求項２】
前記メダル通路のメダル入口が前記メダル投入口の下方において横方向に所定距離だけずれて配置され、
前記メダル投入口と、前記メダル入口との間にメダル接続通路が設けられ、
前記リジェクトボタンが前記メダル投入口に隣接して設けられ、
前記第１回動部材の他端部が前記メダル接続通路より横方向に突出していることを特徴とする請求項１に記載の遊技機。
【発明の詳細な説明】
【技術分野】
【０００１】
本発明は、メダル投入口の下方のメダル通路内で発生したメダル詰まりを解消するリジェクト機構を備えた遊技機に関する。
【背景技術】
【０００２】
スロットマシン等の遊技機においては、前扉のメダル投入口より投入されたメダルが、前扉の裏面に設けられたメダルセレクタ内部のメダル通路内において詰まった際に、このメダル詰まりを解消するためのリジェクトボタンを有するリジェクト機構を備えているのが一般的である（例えば特許文献１参照）。
この特許文献１に記載の遊技機では、前扉におけるメダル投入口の下方のメダル通路に、当該メダル通路内で発生したメダル詰まりを解消するメダル詰まり解消部材が設けられ、このメダル詰まり解消部材を前記前扉の前面パネルから突出するリジェクトボタンを押圧操作して前記メダル通路を開放しうる方向に移動させることにより、該メダル通路に詰まったメダルを外部に排出するようにしている。
【０００３】
また、リジェクトボタンを有するリジェクト機構を備えた遊技機の他の例として特許文献２に記載のものも知られている。
この遊技機では、略矩形の基板の一方の面に、押し板および案内部材によって形成されたメダル通路を備えている。そして、操作者が遊技機の前部に上下に向けて設けられたリジェクトボタンを下方に押す（押下する）と、旋回部材が基板と一体に形成された軸受に取り付けられた横軸を中心に回動し、旋回部材の一端が押し板を押し上げるように動くことによって、押し板と基板のメダル通路との間隔が開くため、詰まったメダルを外部に排出することができる。
【先行技術文献】
【特許文献】
【０００４】
【特許文献１】特開２００６−６１３３９号公報
【特許文献２】特開２００５−２７９２４２号公報
【発明の概要】
【発明が解決しようとする課題】
【０００５】
ところで、特許文献１に記載の遊技機では、前扉の前面パネルから突出するリジェクトボタンを奥側に向けて押圧操作することより、メダル通路に詰まったメダルを外部に排出するようにしているので、例えば前面パネルに、メダル通路より前側において遊技演出用の液晶パネル等のデバイスやその他の部材が設けられている場合、これらデバイスやその他の部材を貫通するようにしてリジェクトボタンを設けることができない、つまり、リジェクトボタンを前扉の前面パネルから突出させ、奥側に向けて押圧操作するように設けることができないという問題があった。
そこで、特許文献２に記載の遊技機のように、遊技機の前面部に上下に向けて設けられたリジェクトボタンを下方に押す（押下する）ように構成すれば、メダル通路より前側に遊技演出用のデバイスやその他の部材が設けられていても、これらデバイスやその他の部材を貫通するようにリジェクトボタンを設ける必要がない。
【０００６】
しかし、特許文献２に記載の遊技機では、メダル通路のメダル入口をメダル投入口の直下から横方向にずらして配置した場合、メダル通路を開放する押し板を操作するためのリジェクトボタンも同様に横方向にずらして配置することになる。
このため、リジェクトボタンがメダル投入口から離れてしまい、遊技者にとってリジェクトボタンであることを認識し難くなる。つまり、遊技機の前面部には、リジェクトボタンの他、様々なボタンが設けられているので、どのボタンがリジェクトボタンであるのかを認識し難くなる。
また、メダル投入口とリジェクトボタンとはなるべく近付けて配置した方が、上述したリジェクトボタンの認識性の他、遊技機の前面部にメダル投入口とリジェクトボタンとをユニットとして一体的に配置する場合に、遊技機の前面部の限られた狭い領域に容易に配置できるという利点がある。
特に近年では、遊技機の前面部に、演出用等の大型の液晶パネルや操作部が配置される場合が多く、ますます前面部にメダル投入口とリジェクトボタンを配置するための領域が狭くなってきている。
【０００７】
本発明は、前記事情に鑑みてなされたもので、遊技機の前面部の限られた領域に、押下可能なリジェクトボタンとメダル投入口とを配置できる遊技機を提供することを目的とする。
【課題を解決するための手段】
【０００８】
前記目的を達成するために、本発明の遊技機は、メダル投入口の下方のメダル通路内で発生したメダル詰まりを解消するリジェクト機構を備えた遊技機において、
前記リジェクト機構は、前記メダル通路の少なくとも一方の側面を構成し、かつ前記メダル通路から側方側に離れることによって、前記メダル通路の側方を開放する側板と、遊技機の前面部に押下可能に設けられたリジェクトボタンと、遊技機の前面とほぼ平行な面内において第１軸回りに回動可能に設けられた第１回動部材と、前記前面と直交する面内において前記第１軸と直交する第２軸回りに回動可能に設けられた第２回動部材とを備え、
前記リジェクトボタンによって前記第１回動部材の一端部が押下されて、当該第１回動部材が回動することによって、当該第１回動部材の他端部から前記第２回動部材の一端部に力が伝達されて、当該第２回動部材が回動し、この第２回動部材の他端部によって前記側板を前記メダル通路から側方側に離れる方向に押圧することを特徴とする。
【０００９】
本発明においては、遊技者がリジェクトボタンを押下することによって第１回動部材の一端部が押下されて、当該第１回動部材が回動する。第１回動部材が回動することによって、当該第１回動部材の他端部から第２回動部材の一端部に力が伝達されて、当該第２回動部材が回動する。この第２回動部材の他端部によって側板をメダル通路から側方側に離れる方向に押圧する。このように、リジェクトボタンを押下することによって、第１回動部材、第２回動部材を介して側板がメダル通路から側方側に離れる方向に押圧されるので、この側板とメダル通路との間からメダル通路に詰まったメダルを排出できる。
【００１０】
このように、メダル通路でのメダル詰まりを解消するために、第１回動部材の一端部がリジェクトボタンによって押下されるが、このリジェクトボタンの押下動作は、第１回動部材の他端部によって第２回動部材に伝達され、この第２回動部材によって側板が押圧されるので、メダル通路のメダル入口をメダル投入口の直下から横方向にずらして配置した場合でも、遊技機の前面部に押下可能なリジェクトボタンをメダル投入口に近付けて配置できる。
したがって、遊技機の前面部の限られた領域に、押下可能なリジェクトボタンとメダル投入口とを配置できる。
【００１１】
本発明の前記構成において、前記メダル通路のメダル入口が前記メダル投入口の下方において横方向に所定距離だけずれて配置され、
前記メダル投入口と、前記メダル入口との間にメダル接続通路が設けられ、
前記リジェクトボタンが前記メダル投入口に隣接して設けられ、
前記第１回動部材の他端部が前記メダル接続通路より横方向に突出していてもよい。
【００１２】
このような構成によれば、メダル投入口と、当該メダル投入口の下方において横方向に所定距離だけずれて配置されたメダル入口との間にメダル接続通路が設けられているので、メダル投入口から長尺な異物をメダル通路に直接差し込むといった不正を防止できるとともに、このような不正防止のため接続通路を設けた場合でも、第１回動部材の他端部が前記メダル接続通路より横方向に突出しているので、この他端部によって第２回動部材を介して側板をメダル通路から側方側に離すことがきる。
したがって、リジェクトボタンがメダル投入口に隣接して設けられていても、メダル通路に詰まったメダルを確実に排出できる。
【発明の効果】
【００１３】
本発明によれば、遊技機の前面部に、押下可能なリジェクトボタンをメダル投入口に近付けて配置できるので、遊技機の前面部の限られた領域に、押下可能なリジェクトボタンとメダル投入口とを配置できる。
【図面の簡単な説明】
【００１４】
【図１】本発明の実施の形態に係る遊技機の一例を示すもので、その斜視図である。
【図２】同、カバー部材が閉じた状態のメダル投入ユニットを斜め背面側から見た斜視図である。
【図３】同、カバー部材が開いた状態のメダル投入ユニットを斜め背面側から見た斜視図である。
【図４】同、カバー部材が閉じた状態のメダル投入ユニットを斜め正面側から見た斜視図である。
【図５】同、カバー部材が閉じた状態のリジェクト機構の要部を示すもので、（ａ）は正面図、（ｂ）は側面図である。
【図６】同、カバー部材が開いた状態のリジェクト機構の要部を示すもので、（ａ）は正面図、（ｂ）は側面図である。
【発明を実施するための形態】
【００１５】
以下、本発明の実施の形態について図面を参照して説明する。本実施の形態は本発明を遊技機の一つであるスロットマシンに適用した場合を例にとって説明するが、本発明はスロットマシンに限ることなく、リジェクトボタンを備えるその他の遊技機に適用してもよい。
【００１６】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置（図示略）を内蔵した電源ユニット等が設けられている。
【００１７】
また、前記筐体１の左右の側板には、筐体１の高さ方向略中央で水平となるように中板（図示略）が設けられており、この中板によって筐体１内は上下に分割されている。したがって、筐体１の前記正面開口部は、その上部を開口する開口上部とその下部を開口する開口下部との２つに区画されている。
筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
【００１８】
前記筐体１内には前記中板の上面に、交換ユニットが着脱可能に設けられている。この交換ユニットは、略直方体状に組まれた金属枠である枠体と、枠体に支持されたリールユニットと、枠体に固定された基板ユニットとを備えている。
リールユニットは、枠体に設けられた３個のステッピングモータと、各々のステッピングモータの出力軸に固定された３個の回転リールとを備えている。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１９】
上扉３０には表示窓３１が設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の表示窓３１の上部および左右両側部には、報知などを行うためのランプ３３ａ,３３ｂ,３３ｃが設けられている。
【００２０】
また、上扉３０にはその一方の縦方向の側縁部に上扉側蝶番が設けられている。一方、前記交換ユニットの枠体には枠体側蝶番が設けられており、この枠体側蝶番に前記上扉側蝶番を係合させることによって、上扉３０は、交換ユニットの枠体に回動自在に取り付けられている。
【００２１】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパ装置等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板に回動自在に取り付けてもよい。
【００２２】
下扉４０は筐体１の開口下部を開閉可能に閉塞するための扉である。下扉４０は、外枠に中枠を嵌め込んで構成されている。
下扉４０の一方の縦方向の側縁部に下扉側蝶番が設けられている。そして、この下扉側蝶番を、筐体１の一方の側板に設けられた筐体側蝶番と係合させることで、下扉４０は、筐体１の一方の側板に回動自在に取り付けられている。また、上扉３０の下端部には、下扉４０の前面より後方側で下扉４０の上端より下側に突出する係合部が設けられ、下扉４０が閉じた状態で、上扉３０を開放することができない構造になっている。
【００２３】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための比較的大型の操作盤５７や、比較的大型の液晶パネル５８が設けられている。操作盤５７は操作部５０の幅方向（左右方向）の略中央部に配置され、メダル投入口４２およびリジェクトボタン５５を挟んで、右側に液晶パネル５８が配置されている。なお、操作盤５７には、演出等の選択用の十字キー、決定ボタン、キャンセルボタン等を有している。
【００２４】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には透明の前パネル４５が取り付けられている。
【００２５】
また、本実施の形態の遊技機は、図２〜図４に示すように、メダル投入ユニット１００を備えており、このメダル投入ユニット１００を構成するメダル投入口部材１０１が遊技機の下扉４０を構成するプレート４０ａ（図１参照）の右側上面から露出している。このメダル投入口部材１０１にメダル投入口４２が設けられるとともに、このメダル投入口４２に隣接して挿通孔５５ａが設けられ、この挿通孔５５ａにリジェクトボタン５５が挿通されている。リジェクトボタン５５は上下に長尺な柱状の部材であり、このリジェクトボタン５５の頭部が貫通孔５５ａの上部開口から若干突出している。
【００２６】
また、メダル投入口部材１０１の下方には、メダルセレクタ１０２が設けられている。このメダルセレクタ１０２は、メダル投入口４２から投入されたメダルを選別するためのものであり、ベース板１０３と、ベース板１０３に取り付けられたカバー部材１０４とを有している。そして、このようなメダルセレクタ１０２はカバー部材１０４が背面側（スロットマシンＭを正面から見た場合の奥側）となるようにして、下扉４０の裏面に取り付けられている。
また、メダルセレクタ１０２の上面には、メダル投入口４２から投入されたメダルを受け入れるためのメダル入口１０６ａが設けられており、メダルセレクタ１０２の側面には、メダルを排出するためのメダル出口１０６ｂが設けられている。
【００２７】
前記カバー部材１０４は、ベース板１０３に設けられた軸１０５を中心に前後方向に回動自在に取り付けられており、軸１０５に設けられたバネ１０５ａによって、常時ベース板１０３側に付勢されている。そして、ベース板１０３には、メダル入口１０６ａからメダル出口１０６ｂに連通するメダル通路１０６が設けられており、メダル通路１０６には、投入検知センサと、通過検知センサが設けられている。メダル通路１０６は、メダル入口１０６ａに上方から投入されたメダルを側方に誘導するように湾曲し、メダル出口１０６ｂに向かって下り傾斜して設けられている。
【００２８】
また、カバー部材（側板）１０４は、メダル通路１０６の一方の側面を構成し、他方の側面はベース板１０３によって構成されている。そして、カバー部材１０４がベース板１０３に当接することで、対向する側面を有するメダル通路１０６が構成されている。
そして、カバー部材１０４がバネ１０５ａの付勢力に抗して、ベース板１０３から側方に離れることによって、カバー部材１０４とメダル通路１０６との間に隙間が生じ、この隙間から、メダル通路１０６で詰まっているメダルを下方に落下させるようになっている。なお、落下したメダルは図示しないシュートを通って、下扉４０の下部に設けられたメダル払い出し口から排出されるようになっている。
なお、図示は省略するが、メダルセレクタ１０２の側方には、図示しないメダル排出装置がメダル出口１０６ｂに連続して設けられている。
【００２９】
また、本実施の形態の遊技機は、メダル通路１０６内で発生したメダル詰まりを解消するリジェクト機構１１０を備えている。
すなわち、リジェクト機構１１０は前記カバー部材（側板）１０４と、リジェクトボタン５５と、第１回動部材１１１と、第１軸１１１ａと、第２回動部材１１２と、第２軸１１２ａと、付勢部材としての前記バネ１０５ａとを有している。
【００３０】
第１回動部材１１１は、図５および図６に示すように、遊技機の前面と平行な面内（図５（ａ）および図６（ａ）において紙面と平行な面内）において第１軸１１１ａ回りに回動可能に設けられている。この第１軸１１１ａは、メダルセレクタ１０２の正面側を覆うようにして設けられて、下扉４０に取り付けられる図示しないセレクタブラケットに支持されている。
第１回動部材１１１は、図５（ａ）に示すように、正面視において、第１軸１１１ａによって支持されているほぼ中央部から互いに逆方向に延び、かつ上下に平行に設けられた一対のアーム１１１ｂ，１１１ｃを有している。そして、第１回動部材１１１の一端部、つまりアーム１１１ｂの先端部にリジェクトボタン５５の下端部が当接している。
【００３１】
第２回動部材１１２は、図５および図６に示すように、遊技機の前面と直交する面内（図５（ｂ）および図６（ｂ）において紙面と平行な面内において第１軸１１１ａと直交する第２軸１１２ａ回りに回動可能に設けられている。この第２軸１１２ａは前記セレクタブラケットに支持されている。
第２回動部材１１２は、図５（ｂ）に示すように、側面視において、略コ字形に形成されており、その上下方向の中央部より若干上部が第２軸１１２ａによって支持されている。
第２回動部材１１２の上端部（一端部）の略水平の係合部１１２ｂが第１回動部材１１１の他端部であるアーム１１１ｃに上方から係合している。係合部１１２ｂの下面は、図５（ｂ）において右側が下になるように傾斜している。したがって、第１回動部材１１１がその他端部（アーム１１１ｃ）を上昇させるように回動すると、係合部１１２ｂは時計回りに押圧され、これによって、第２回動部材１１２が時計回りに回動するようになっている。
したがって、図６（ａ）に示すように、リジェクトボタン５５を押下することによって第１回動部材１１１の一端部（アーム１１１ｂの先端部）が押下されて、当該第１回動部材１１１が反時計回りに回動することによって、当該第１回動部材１１１の他端部（アーム１１１ｃ）から第２回動部材１１２の一端部（係合部１１２ｂ）に力が伝達されて、図６（ｂ）に示すように、当該第２回動部材１１２が時計回り回動するようになっている。
【００３２】
この第２回動部材１１２の他端部１１２ｃには半球状の押圧部１１２ｄが設けられており、この押圧部１１２ｄによって押圧板１１２ｅが押圧されるようになっている。
押圧板１１２ｅは前記カバー部材１０４の正面に設けられており、押圧板１１２ｅが図６（ｂ）において時計回りに押圧されて移動すると、これにともなってカバー部材１０４がバネ１０５ａの付勢力に抗して、ベース板１０３から側方に離れることによって、カバー部材１０４とメダル通路１０６との間に隙間が生じ、この隙間から、メダル通路１０６で詰まっているメダルを下方に落下させるようになっている。
【００３３】
このように、本実施の形態では、リジェクトボタン５５によって第１回動部材１１１の一端部１１１ｂが押下されて、当該第１回動部材１１１が第１軸１１１ａ回りに回動することによって、当該第１回動部材１１１の他端部１１１ｃから第２回動部材１１２の一端部（係合部）１１２ｂに力が伝達されて、当該第２回動部材１１２が第２軸１１２ａ回りに回動し、その他端部１１２ｃによって、押圧板１１２ｅを介してカバー部材（側板）１０４をメダル通路１０６から側方側に離れる方向に押圧するようになっている。
【００３４】
なお、ベース板１０３の所定の位置には、その表裏面に開口する開口部が設けられており、この開口部を通して、前記第２回動部材１１２の他端部１１２ｃおよび押圧部１１２ｄが押圧板１１２ｅを押圧するようになっている。
また、カバー部材１０４はバネ１０５ａによって、常時ベース板１０３側に付勢されているので、このカバー部材１０４に設けられている押圧板１１２ｅも、図５（ｂ）および図６（ｂ）において反時計回りに付勢され、これによって、第１回動部材１１１が図５（ａ）および図６（ａ）において時計回りに付勢されている。したがって、リジェクトボタン５５は上方に付勢されているが、リジェクトボタン５５の胴部に設けられた周溝に図示しないリングを嵌め込み、このリングをメダル投入口部材１０１に設けられたリジェクトボタン挿通用の挿通孔５５ａの下端開口端面に当接することによって、リジェクトボタン５５の抜け出を防止している。
【００３５】
また、本実施の形態では、図２および図６に示すように、メダル通路１０６のメダル入口１０６ａが、メダル投入口４２の下方において、横方向（図２において右方向、図６において左方向）に所定距離だけずれて配置されている。
そして、メダル投入口４２とメダル入口１０６ａとの間に、接続部材１１５が設けられている。この接続部材１１５の上端部にはメダル投入口４２と対向して入口が設けられ、下端部にはメダル入口１０６ａと対向して出口が設けられている。そして、接続部材１１５の内部には、前記入口から出口に向けて滑らかなクランク状に曲がるメダル接続通路が設けられている。
したがって、メダル投入口４２に投入されたメダルは、接続部材１１５の入口からメダル接続通路を通り、出口から排出され、メダル入口１０６ａからメダル通路１０６を通るようになっている。
【００３６】
また、リジェクトボタン５５はメダル投入口４２に隣接してメダル投入口部材１０１に設けられている。
また、第１回動部材１１１の他端部１１１ｃはメダル接続通路が設けられた接続部材１１５より横方向に突出しており、この他端部１１１ｃに前記第２回動部材１１２の一端部（係合部）１１２ｂが上方から係合している。
【００３７】
本実施の形態の遊技機では、メダル投入口４２から投入されたメダルがメダル接続通路を通って、メダル通路１０６を通る。このメダル通路１０６をメダルが通っている最中にメダル詰まりが生じた場合、遊技者がリジェクトボタン５５を押下する。すると、図２および図６に示すように、このリジェクトボタン５５によって、第１回動部材１１１の一端部１１１ｂが押下されて、当該第１回動部材１１１がバネ１０５ａの付勢力に抗して、第１軸１１１ａ回りに回動する。
【００３８】
そして、第１回動部材１１１が回動した際に、当該第１回動部材１１１の他端部１１１ｃから第２回動部材１１２の一端部（係合部）１１２ｂに力が伝達されて、当該第２回動部材１１２が第２軸１１２ａ回りに回動する。この第２回動部材１１２の他端部１１２ｃによって押圧板１１２ｅを介してカバー部材１０４をメダル通路１０６から側方側（図３において背面側）に離れる方向に押圧する。
このように、リジェクトボタン５５を押下することによって、第１回動部材１１１、第２回動部材１１２、押圧板１１２ｅを介してカバー部材１０４がバネ１０５ａの付勢力に抗してメダル通路１０６から側方側に離れる方向に押圧されるので、このカバー部材１０４とメダル通路１０６との間からメダル通路に詰まったメダルを排出できる。
【００３９】
また、第１回動部材１１１の一端部１１１ｂがリジェクトボタン５５によって押下されるが、このリジェクトボタン５５の押下動作は、第１回動部材１１１の他端部１１１ｃによって第２回動部材１１２に伝達され、この第２回動部材１１２によってカバー部材１０４が押圧されるので、メダル通路１０６のメダル入口１０６ａをメダル投入口４２の直下から横方向にずらして配置した場合でも、遊技機の前面部に押下可能なリジェクトボタン５５をメダル投入口４２に近付けて配置できる。
したがって、遊技機の前面部の限られた領域、つまり図１に示すように、操作盤５７と液晶パネル５８との間の限られた比較的狭い領域に、押下可能なリジェクトボタン５５とメダル投入口４２とを配置できる。
【００４０】
また、メダル投入口４２と、当該メダル投入口４２の下方において横方向に所定距離だけずれて配置されたメダル入口１０６ａとの間にメダル接続通路が設けられているので、メダル投入口４２から長尺な異物をメダル通路に直接差し込むといった不正を防止できるとともに、このような不正防止のため接続通路を設けた場合でも、第１回動部材１１１の他端部１１１ｃがメダル接続通路より横方向に突出しているので、この他端部１１１ｃによって第２回動部材１１２を介してカバー部材１０４をメダル通路１０６から側方側に離すことがきる。
したがって、リジェクトボタン５５がメダル投入口４２に隣接して設けられていても、メダル通路１０６に詰まったメダルを確実に排出できる。
【符号の説明】
【００４１】
Ｍ  スロットマシン（遊技機）
４２  メダル投入口
５５  リジェクトボタン
１０４  カバー部材（側板）
１０６  メダル通路
１０６ａ  メダル入口
１１０  リジェクト機構
１１１  第１回動部材
１１１ａ  第１軸
１１１ｂ  一端部
１１１ｃ  他端部
１１２  第２回動部材
１１２ａ  第２軸
１１２ｂ  係合部（一端部）
１１２ｃ  他端部
【図１】
2016195634.tif 000003
【図２】
2016195634.tif 000004
【図３】
2016195634.tif 000005
【図４】
2016195634.tif 000006
【図５】
2016195634.tif 000007
【図６】
2016195634.tif 000008